(57)【要約】【課題】移動体端末装置の紛失或いは盗難時において、情報記録媒体が差し替えられた場合でも移動体端末装置の第三者の不正利用を防止すること。【解決手段】携帯電話機体と、携帯電話機本体に装着され固有の電話番号が割り当てられた情報記録媒体とからなる携帯電話機への操作をロックする移動通信ネットワークシステムにおいて、携帯電話機１０に割り当てられた端末識別番号と、携帯電話機１０に現在装着されている情報記録媒体の電話番号とを対応づけて管理するサービス制御装置１５と、サービス制御装置１５から、ロック対象となる携帯電話機１０の端末識別番号に対応する情報記録媒体の電話番号を取得し、当該電話番号に基づいて当該携帯電話機１０への操作をロックする情報管理サーバ１７とを具備することを特徴とする。【選択図】図１
2008092294.tif 000002
【特許請求の範囲】
【請求項１】
移動体端末装置本体と、前記移動体端末装置本体に装着され固有の電話番号が割り当てられた情報記録媒体とからなる移動体端末装置への操作をロックする移動通信ネットワークシステムであって、
前記移動体端末装置本体に割り当てられた端末識別番号と、前記移動体端末装置本体に現在装着されている前記情報記録媒体の電話番号とを対応づけて管理するサービス制御装置と、前記サービス制御装置から、ロック対象となる前記移動体端末装置の前記端末識別番号に対応する前記情報記録媒体の電話番号を取得し、当該電話番号に基づいて当該移動体端末装置への操作をロックするロック制御装置とを具備することを特徴とする移動通信ネットワークシステム。
【請求項２】
前記サービス制御装置は、前記移動体端末装置本体に対して前記情報記録媒体が装着される毎に当該情報記録媒体の電話番号を更新することを特徴とする請求項１記載の移動通信ネットワークシステム。
【請求項３】
前記移動体端末装置への操作のロックを指示するショートメッセージを送信することで前記移動体端末装置への操作をロックすることを特徴とする請求項１又は請求項２記載の移動通信ネットワークシステム。
【請求項４】
前記移動体端末装置への操作をロックできない場合、一定時間経過後に前記ショートメッセージを再送することを特徴とする請求項３記載の移動通信ネットワークシステム。
【請求項５】
前記ショートメッセージを再送する際、ロック対象となる前記移動体端末装置の前記端末識別番号に対応する前記情報記録媒体の電話番号の変更を判定することを特徴とする請求項４記載の移動通信ネットワークシステム。
【請求項６】
移動体端末装置本体と、前記移動体端末装置本体に装着され固有の電話番号が割り当てられた情報記録媒体とからなる移動体端末装置への操作をロックする方法であって、
前記移動体端末装置本体に割り当てられた端末識別番号と、当該移動体端末装置本体に現在装着されている前記情報記録媒体の電話番号とを対応づけて管理するステップと、ロック対象となる前記移動体端末装置の前記端末識別番号に対応する前記情報記録媒体の電話番号を取得するステップと、当該電話番号に基づいて前記移動体端末装置への操作をロックするステップとを具備することを特徴とする移動体端末装置のロック方法。
【請求項７】
前記移動体端末装置本体に対して前記情報記録媒体が装着される毎に当該情報記録媒体の電話番号を更新することを特徴とする請求項６記載の移動体端末装置のロック方法。
【請求項８】
前記移動体端末装置への操作のロックを指示するショートメッセージを送信することで前記移動体端末装置への操作をロックすることを特徴とする請求項６又は請求項７記載の移動体端末装置のロック方法。
【請求項９】
前記移動体端末装置への操作をロックできない場合、一定時間経過後に前記ショートメッセージを再送することを特徴とする請求項８記載の移動体端末装置のロック方法。
【請求項１０】
前記ショートメッセージを再送する際、ロック対象となる前記移動体端末装置の前記端末識別番号に対応する前記情報記録媒体の電話番号の変更を判定することを特徴とする請求項９記載の移動体端末装置のロック方法。
【発明の詳細な説明】
【技術分野】
【０００１】
本発明は、移動通信ネットワークシステム及び移動体端末装置のロック方法に関し、特に、携帯電話機等の移動体端末装置の紛失或いは盗難時における第三者の悪用を防止する移動通信ネットワークシステム及び移動体端末装置のロック方法に関する。
【背景技術】
【０００２】
近年、ＳＩＭ（Subscriber Identification Module）カードと称するＩＣカードを装着して通信を行う携帯電話機が普及しつつある。このＳＩＭカードには、所有者（加入者）に対応して設定された電話番号等のＩＤコードが記録されると共に、所有者の個人データ（例えば、電話番号の相手先名を登録したメモリダイヤルのデータや着信履歴のデータ等）が記憶されている。このようなＳＩＭカードを用いることにより、例えば、所有する携帯電話機が使用不能（故障、電池切れ等）となった場合においても、別の人の携帯電話機に自分のＳＩＭカードを装着することにより、使用所有者のＩＤコードを用いた通話を行うことが可能となる。
【０００３】
しかしながら、このようなＳＩＭカードを所有者が紛失し、そのＳＩＭカードが意図せずに他人の手に渡った場合には、そのＳＩＭカードを取得した他人の悪意により不正に電話が掛けられたり、個人データが読み出されたりするという不具合が発生する可能性がある。かかる不具合を防止するために、ＳＩＭカードにロックコードを記録しておき、無線通信回線を介して他の通信端末から受信したロックコードとの比較により、移動通信端末本体に対する操作及びＳＩＭカードへのアクセスをロックする移動通信端末が提案されている（例えば、特許文献１参照）。
【特許文献１】特開２００３−７００６４号公報
【発明の開示】
【発明が解決しようとする課題】
【０００４】
しかしながら、上述した従来の移動通信端末においては、ＳＩＭカードに記録されたロックコード等に基づいてロック動作を行うため、ＳＩＭカードが意図的に挿し替えられている場合には、移動通信端末本体に対する操作、並びに、ＳＩＭカードへのアクセスをロックすることができないという問題がある。
【０００５】
特に、近年においては、携帯電話機自体が高機能化しており、悪意を有する第三者が、自身が所有するＳＩＭカードを装着して利用するために、他人の携帯電話機を盗難するような事態も想定される。しかしながら、上述した従来の移動通信端末においては、携帯電話機及びＳＩＭカードの所有者が一致しなければ、ロック動作を行うことができないため、このような不正利用を防止することができないという問題がある。
【０００６】
本発明は、かかる問題点に鑑みて為されたものであり、移動体端末装置の紛失或いは盗難時において、情報記録媒体が挿し替えられた場合でも移動体端末装置の第三者の不正利用を防止することができる移動通信ネットワークシステム及び移動体端末装置のロック方法を提供することを目的とする。
【課題を解決するための手段】
【０００７】
本発明の移動通信ネットワークシステムは、移動体端末装置本体と、前記移動体端末装置本体に装着され固有の電話番号が割り当てられた情報記録媒体とからなる移動体端末装置への操作をロックする移動通信ネットワークシステムであって、前記移動体端末装置本体に割り当てられた端末識別番号と、前記移動体端末装置本体に現在装着されている前記情報記録媒体の電話番号とを対応づけて管理するサービス制御装置と、前記サービス制御装置から、ロック対象となる前記移動体端末装置の前記端末識別番号に対応する前記情報記録媒体の電話番号を取得し、当該電話番号に基づいて当該移動体端末装置への操作をロックするロック制御装置とを具備することを特徴とする。
【０００８】
この構成によれば、サービス制御装置において移動体端末装置本体の端末識別番号と、現在装着されている情報記録媒体の電話番号とが対応づけて管理され、ロック制御装置によってロック対象となる移動体端末装置の端末識別番号に対応する情報記録媒体の電話番号に基づいて当該移動体端末装置への操作がロックされることから、移動体端末装置本体の端末識別番号に基づいてロック対象となる移動体端末装置を特定し、当該移動体端末装置への操作をロックすることができるので、移動体端末装置の紛失或いは盗難時において、情報記録媒体が挿し替えられた場合でも移動体端末装置の第三者の不正利用を防止することが可能となる。
【０００９】
上記移動通信ネットワークシステムにおいて、前記サービス制御装置は、前記移動体端末装置本体に対して前記情報記録媒体が装着される毎に当該情報記録媒体の電話番号を更新することが好ましい。この場合には、移動体端末装置本体に対して情報記録媒体が装着される毎に当該情報記録媒体の電話番号が更新されるので、常に、移動体端末装置本体に装着されている情報記録媒体の電話番号を把握することが可能となる。
【００１０】
例えば、上記移動通信ネットワークシステムにおいて、前記移動体端末装置への操作のロックを指示するショートメッセージを送信することで前記移動体端末装置への操作をロックすることが考えられる。この場合には、既存のショートメッセージサービスを活用して移動体端末装置への操作をロックすることが可能となる。
【００１１】
また、上記移動通信ネットワークシステムにおいて、前記移動体端末装置への操作をロックできない場合、一定時間経過後に前記ショートメッセージを再送することが好ましい。この場合には、先行するショートメッセージを送信した後、一定時間経過後にショートメッセージが再送されるので、例えば、ロック対象となる移動体端末装置の電源が入っていない場合や、当該移動体端末装置が通信圏外に存在するような場合においても、電源投入時や通信圏内への復帰時に移動体端末装置への操作をロックすることが可能となる。
【００１２】
特に、上記移動通信ネットワークシステムにおいて、前記ショートメッセージを再送する際、ロック対象となる前記移動体端末装置の前記端末識別番号に対応する前記情報記録媒体の電話番号の変更を判定することが好ましい。この場合には、ショートメッセージを再送するまでの間に情報記録媒体が挿し替えられた場合に、無用なショートメッセージの送信を回避することが可能となる。
【００１３】
本発明の移動体端末装置のロック方法は、移動体端末装置本体と、前記移動体端末装置本体に装着され固有の電話番号が割り当てられた情報記録媒体とからなる移動体端末装置への操作をロックする方法であって、前記移動体端末装置本体に割り当てられた端末識別番号と、当該移動体端末装置本体に現在装着されている前記情報記録媒体の電話番号とを対応づけて管理するステップと、ロック対象となる前記移動体端末装置の前記端末識別番号に対応する前記情報記録媒体の電話番号を取得するステップと、当該電話番号に基づいて前記移動体端末装置への操作をロックするステップとを具備することを特徴とする。
【００１４】
この方法によれば、移動体端末装置本体の端末識別番号と、現在装着されている情報記録媒体の電話番号とが対応づけて管理され、ロック対象となる移動体端末装置の端末識別番号に対応する情報記録媒体の電話番号に基づいて当該移動体端末装置への操作がロックされることから、移動体端末装置本体の端末識別番号に基づいて移動体端末装置を特定し、当該移動体端末装置への操作をロックすることができるので、移動体端末装置の紛失或いは盗難時において、情報記録媒体が挿し替えられた場合でも移動体端末装置の第三者の不正利用を防止することが可能となる。
【００１５】
上記移動体端末装置のロック方法において、前記移動体端末装置本体に対して前記情報記録媒体が装着される毎に当該情報記録媒体の電話番号を更新することが好ましい。この場合には、移動体端末装置本体に対して情報記録媒体が装着される毎に当該情報記録媒体の電話番号が更新されるので、移動体端末装置本体に装着されている情報記録媒体の電話番号を把握することが可能となる。
【００１６】
例えば、上記移動体端末装置のロック方法において、前記移動体端末装置への操作のロックを指示するショートメッセージを送信することで前記移動体端末装置への操作をロックすることが考えられる。この場合には、既存のショートメッセージサービスを活用して移動体端末装置への操作をロックすることが可能となる。
【００１７】
また、上記移動体端末装置のロック方法において、前記移動体端末装置への操作をロックできない場合、一定時間経過後に前記ショートメッセージを再送することが好ましい。この場合には、先行するショートメッセージを送信した後、一定時間経過後にショートメッセージが再送されるので、例えば、ロック対象となる移動体端末装置の電源が入っていない場合や、当該移動体端末装置が通信圏外に存在するような場合においても、電源投入時や通信圏内への復帰時に移動体端末装置への操作をロックすることが可能となる。
【００１８】
特に、上記移動体端末装置のロック方法において、前記ショートメッセージを再送する際、ロック対象となる前記移動体端末装置の前記端末識別番号に対応する前記情報記録媒体の電話番号の変更を判定することが好ましい。この場合には、ショートメッセージを再送するまでの間に情報記録媒体が挿し替えられた場合に、無用なショートメッセージの送信を回避することが可能となる。
【発明の効果】
【００１９】
本発明に係る移動通信ネットワークシステム及び移動体端末装置のロック方法によれば、移動体端末装置本体の端末識別番号と、現在装着されている情報記録媒体の電話番号とが対応づけて管理され、ロック対象となる移動体端末装置の端末識別番号に対応する情報記録媒体の電話番号に基づいて当該移動体端末装置への操作がロックされるので、移動体端末装置の紛失或いは盗難時において、情報記録媒体が差し替えられた場合でも移動体端末装置の第三者の不正利用を防止することが可能となる。
【発明を実施するための最良の形態】
【００２０】
以下、本発明の実施の形態について添付図面を参照して詳細に説明する。なお、以下においては、本発明を移動通信ネットワークシステムに具現化する場合について説明するが、当該移動通信ネットワークシステムにおける移動体端末装置のロック方法としても成立するものである。
【００２１】
図１は、本発明の一実施の形態に係る移動通信ネットワークシステムの構成を示す図である。なお、図１においては、移動体端末装置の例として、携帯電話機を用いて説明するが、これに限定されるものではなく、後述するショートメッセージサービス（ＳＭＳ）を送受信可能であれば、どのような移動体端末装置であっても適用可能である。また、ここでは、説明の便宜上、単一の携帯電話機が移動通信ネットワークシステム上に接続される場合について説明するが、複数の携帯電話機を接続可能であることは言うまでもない。
【００２２】
以下の説明において、携帯電話機は、情報記録媒体としてのＳＩＭカードを装着することにより通信を行うことが可能となる携帯電話機であるものとする。このため、例えば、所有する携帯電話機が使用不能（故障、電池切れ等）となった場合においても、別の人の携帯電話機に自分のＳＩＭカードを装着することにより、使用所有者の電話番号を用いて通話することが可能となっている。
【００２３】
図１に示すように、本実施の形態に係る移動通信ネットワークシステムは、携帯電話機１０を収容する交換機１１と、携帯電話機１０の位置情報及び加入者データ等が記憶される加入者データベース（ＤＢ）１２を有するロケーションレジスタ１３と、携帯電話機１０の電話番号（より詳しくは、携帯電話機１０に装着されたＳＩＭカードに記録された電話番号）と携帯電話機１０の端末自体に割り当てられた製造番号とが対応付けて記憶される製造番号管理データベース（以下、「製番管理ＤＢ」という）１４を有するサービス制御装置１５と、携帯電話機１０を含む全ての携帯電話機の初期登録情報やステータス情報（例えば、ロック状態又は通常状態）等が記憶される情報管理データベース（ＤＢ）１６を有する情報管理サーバ１７と、を移動通信網１８内に備えて構成される。なお、情報管理サーバ１７は、ロック制御装置として機能する。
【００２４】
加入者ＤＢ１２及び製番管理ＤＢ１４には、後述するように、情報管理ＤＢ１６から必要な情報が登録されると共に、携帯電話機から送信される制御信号に応じた情報が登録される。このような移動通信ネットワークシステムにおいて、通常の通話を行う場合には、発信元の携帯電話機（図示略）から指定された電話番号に基づいて、ロケーションレジスタ１３において発信先の携帯電話機の位置情報（エリア情報）が把握され、当該位置情報に対応する交換機を介して両者の間の無線通信路が形成されることとなる。
【００２５】
このような通常の通話機能に加え、本実施の形態に係る移動通信ネットワークシステムにおいては、ユーザから指定された携帯電話機に対する操作をロックする機能を提供する。特に、悪意の第三者によりＳＩＭカードが挿し替えられた場合において、その挿し替えられた携帯電話機に対する操作をロックする。より具体的には、製番管理ＤＢ１４に登録された、ロック対象となる携帯電話機の端末識別番号としての製造番号から当該携帯電話機の電話番号を特定し、その電話番号を利用して当該携帯電話機に対する操作をロックする。以下、本実施の形態に係る移動通信ネットワークシステムにおいて、特徴的な構成であるサービス制御装置１５の構成、並びに、携帯電話機１０に対する操作をロックする際に参照される情報等について説明する。
【００２６】
図２は、本実施の形態に係る移動通信ネットワークシステムのサービス制御装置１５の構成を示す機能ブロック図である。図２に示すように、サービス制御装置１５は、装置全体の制御を行う主制御部２１と、情報管理サーバ１７や携帯電話機１０と通信を行う通信部２２と、製番管理ＤＢ１４へのデータの登録、並びに、製番管理ＤＢ１４に記憶されたデータの更新を行うデータ更新部２３と、製番管理ＤＢ１４に記憶されているデータの検索を行うデータ検索部２４とを備えて構成されている。
【００２７】
このような構成を有し、サービス制御装置１５は、詳細について後述するように、情報管理サーバ１６からの携帯電話機の使用者の問合せ（携帯電話機の製造番号を含む）に応じて携帯電話機の電話番号（ＳＩＭカードに記録された電話番号）を検索し、当該電話番号を情報管理サーバ１６に応答する。このようにサービス制御装置１５から応答された携帯電話機の電話番号（ＳＩＭカードに記録された電話番号）に応じて、情報管理サーバ１６において、携帯電話機１０に対する操作のロックのための処理が実行されることとなる。
【００２８】
図３は、本実施の形態に係る移動通信ネットワークシステムの情報管理ＤＢ１６に記憶される情報の一例について説明するための図である。図３に示すように、情報管理ＤＢ１６には、加入者が加入する契約毎に割り当てられた「契約番号（契約No．）」と、契約時点にて携帯電話機（これに装着されるＳＩＭカード）に割り当てられた「電話番号」、携帯電話機の端末自体に割り当てられた固有の「製造番号」と、現在の携帯電話機の状態がロック状態か否かを示す「ステータス」とがそれぞれ対応づけられて記憶されている。これらの情報のうち、「契約コード」、「電話番号」及び「製造番号」は、ユーザからの申請又は通信事業者の取り決めによって、情報管理ＤＢ１６に記憶されるものであり、一旦、登録されると、解約や契約変更などの場合を除き、変更されることはない。一方、「ステータス」は、携帯電話機のユーザからの要請に応じてロック又はロック解除した際に適宜書き換えられて記憶されるものである。
【００２９】
例えば、契約番号「１０００１」の携帯電話機においては、電話番号「０９０−１１１Ｘ−１１１１」が割り当てられると共に、「製造番号」として「ＡＡＡＡ」が割り当てられており、「ステータス」としてロックされていない旨を示す「通常状態」が登録されている。また、契約番号「１０００２」の携帯電話機においては、電話番号「０９０−１１１Ｘ−１１１２」が割り当てられると共に、「製造番号」として「ＢＢＢＢ」が割り当てられており、「ステータス」としてロックされていない旨を示す「通常状態」が登録されている。なお、携帯電話機に対する操作がロックされている場合、「ステータス」には、ロックされている旨を示す「ロック状態」が登録される。
【００３０】
図４は、本実施の形態に係る移動通信ネットワークシステムの製番管理ＤＢ１４に記憶される情報の一例について説明するための図である。図４に示すように、製番管理ＤＢ１４には、携帯電話機に割り当てられた「製造番号」と、「電話番号」とがそれぞれ対応づけられて記憶されている。製番管理ＤＢ１４における「製造番号」及び「電話番号」は、情報管理ＤＢ１６に対応する「製造番号」及び「電話番号」が登録された場合に、所定タイミングで情報管理ＤＢ１６から受信して登録されるものである。このうち、「製造番号」が一旦登録されると更新されることがないのに対し、「電話番号」は、携帯電話機から到来する制御信号に応じて適宜書き換えられて記憶されるものである。特に、本実施の形態に係る移動通信ネットワークシステムにおいては、ＳＩＭカードが挿し替えられる毎に、「電話番号」が書き換えられるように構成されている。
【００３１】
例えば、製造番号「ＡＡＡＡ」の携帯電話機においては、電話番号「０９０−１１１Ｘ−２２２２」が対応づけられている。また、製造番号「ＢＢＢＢ」の携帯電話機においては、電話番号「０９０−１１１Ｘ−１１１２」が対応づけられている。図４において、製造番号「ＡＡＡＡ」の携帯電話機は、これに装着されるＳＩＭカードが挿し替えられた場合について示している。すなわち、契約時点では電話番号「０９０−１１１Ｘ−１１１１」が記録されたＳＩＭカードが装着されていたのに対し、現時点では電話番号「０９０−１１１Ｘ−２２２２」が記録されたＳＩＭカードが装着された場合について示している。
【００３２】
図５は、本実施の形態に係る移動通信ネットワークシステムの加入者ＤＢ１４に記憶される情報の一例について説明するための図である。図５に示すように、加入者ＤＢ１２には、携帯電話機に割り当てられた「電話番号」及び「製造番号」と、携帯電話機の現在の「位置情報」とがそれぞれ対応づけられて記憶されている。これらの情報のうち、「電話番号」及び「製造番号」は、情報管理ＤＢ１６に対応する「電話番号」及び「製造番号」が登録された場合に、所定タイミングで情報管理ＤＢ１６から受信して登録されるものである。このうち、「製造番号」が一旦登録されると更新されることがないのに対し、「電話番号」は、携帯電話機から到来する制御信号に応じて適宜書き換えられて記憶されるものである。特に、本実施の形態に係る移動通信ネットワークシステムにおいては、ＳＩＭカードが挿し替えられる毎に、「電話番号」が書き換えられるように構成されている。また、「位置情報」は、携帯電話機から到来する制御信号に応じて適宜書き換えられて記憶されるものである。
【００３３】
例えば、電話番号「０９０−１１１Ｘ−２２２２」の携帯電話機においては、「製造番号」として「ＡＡＡＡ」が登録されており、現在「エリア１」に存在している。また、電話番号「０９０−１１１Ｘ−１１１２」の携帯電話機は、「製造番号」として「ＢＢＢＢ」が登録されており、現在「エリア２」に存在している。図５においても、図４に示す製番管理ＤＢ１４と同様に、製造番号「ＡＡＡＡ」の携帯電話機は、これに装着されるＳＩＭカードが挿し替えられた場合について示している。
【００３４】
以下、本実施の形態に係る移動通信ネットワークシステムにおいて、携帯電話機に対する操作をロックする場合の処理について説明する。ここでは、（１）携帯電話機に対するロック動作が正常に行われた場合、（２）携帯電話機に対するロック動作が繰り返される場合、（３）携帯電話機に対するロック動作が繰り返される前に携帯電話機の製造番号と電話番号との組合せの不一致が検出された場合、（４）携帯電話機に対するロック動作が繰り返される途中で携帯電話機の製造番号と電話番号との組合せの不一致が検出された場合、について説明する。
【００３５】
なお、以下においては、情報管理ＤＢ１６、製番管理ＤＢ１４及び加入者ＤＢ１２には、それぞれ図３、図４及び図５に示す情報が記憶されているものとする。また、ロック対象となる携帯電話機１０の端末自体には図３〜図５に示す製造番号「ＡＡＡＡ」が割り当てられているものとする。すなわち、悪意の第三者によりＳＩＭカードが挿し替えられ、初期登録時に情報管理サーバ１７に登録された携帯電話機１０の電話番号「０９０−１１１Ｘ−１１１１」が異なる電話番号「０９０−１１１Ｘ−２２２２」に変更されているものとする。
【００３６】
（１）携帯電話機に対するロック動作が正常に行われた場合
図６は、本実施の形態に係る移動通信ネットワークシステムにおいて、携帯電話機に対するロック動作が正常に行われた場合の処理について説明するためのシーケンス図である。携帯電話機１０に対するロック動作は、ロックを希望するユーザが携帯電話機１０の販売店等に依頼することでオペレータによる指示に応じて開始される。携帯電話機１０のロックの依頼を受けたオペレータは、ロック対象となる携帯電話機１０を製造番号で特定すると共に、当該携帯電話機１０をロックする旨を情報管理サーバ１７に指示する。
【００３７】
オペレータから携帯電話機１０のロック指示を受けると、情報管理サーバ１７から、まず、サービス制御装置１５（製番管理ＤＢ１４）に対して使用者の問合せが送信される（ステップ（以下、「ＳＴ」と略す）１）。この問合せには、携帯電話機１０に割り当てられた製造番号「ＡＡＡＡ」が含まれる。この問合せを受け付けると、サービス制御装置１５において、これに含まれる製造番号「ＡＡＡＡ」に対応付けられた電話番号が検索され、この電話番号「０９０−１１１Ｘ−２２２２」が情報管理サーバ１７に送信される（ＳＴ２）。すなわち、契約時点において登録された電話番号「０９０−１１１Ｘ−１１１１」ではなく、現在の携帯電話機１０に装着されたＳＩＭカードの電話番号「０９０−１１１Ｘ−２２２２」が送信される。
【００３８】
サービス制御装置１５から電話番号を受信すると、情報管理サーバ１７において、このロック動作に伴って情報が漏洩するのを防止すべく、当該使用者向けのハッシュ関数が生成される（ＳＴ３）。そして、ハッシュ関数が生成された後、情報管理サーバ１７から、ロケーションレジスタ１３に対して携帯電話機１０のロック要求が送信される（ＳＴ４）。このロック要求には、携帯電話機１０の使用者の電話番号（ＳＩＭカードに記録されている電話番号）及び携帯電話機１０の端末自体の製造番号が含まれる。
【００３９】
情報管理サーバ１７からロック要求を受信すると、ロケーションレジスタ１３においては、加入者ＤＢ１２に登録された携帯電話機１０の位置情報に基づいて当該携帯電話機１０を収容する交換機１１が検索される。そして、この交換機１１に対して、携帯電話機１０に対する操作をロックするためのショートメッセージサービス（以下、「ロックＳＭＳ」という）の生成指示（以下、「ロックＳＭＳ生成指示」という）が送信される（ＳＴ５）。このロックＳＭＳ生成指示には、携帯電話機１０の端末自体の製造番号が含まれる。
【００４０】
ロケーションレジスタ１３からロックＳＭＳ生成指示を受信すると、交換機１１において、ロックＳＭＳが生成され（ＳＴ６）、生成されたロックＳＭＳが携帯電話機１０に送信される（ＳＴ７）。このロックＳＭＳを受信すると、携帯電話機１０において、これに含まれる製造番号が判定され、自身の製造番号との一致が確認されると、ロック処理が行われる（ＳＴ８）。これにより、携帯電話機１０においては、全ての操作を受け付けることができなくなる。
【００４１】
携帯電話機１０のロック処理が適切に行われた場合には、携帯電話機１０から交換機１１を介してロケーションレジスタ１３に対して、その旨を示す応答信号が送信される（ＳＴ９、ＳＴ１０）。この応答信号を受信すると、ロケーションレジスタ１３から情報管理サーバ１７に対してロック処理が適切に行われた旨を示すロック応答が送信される（ＳＴ１１）。このロック応答を受信すると、情報管理サーバ１７において、情報管理ＤＢ１６内の情報が更新される（ＳＴ１２）。ここでは、図３に示す契約番号「１０００１」に対応するステータスが「通常状態」から「ロック状態」に変更される。このようにして、携帯電話機１０に対するロック動作が正常に行われた場合の処理が終了する。
【００４２】
（２）携帯電話機に対するロック動作が繰り返される場合
図７は、本実施の形態に係る移動通信ネットワークシステムにおいて、携帯電話機に対するロック動作が繰り返される場合の処理について説明するためのシーケンス図である。なお、図７において、図６に示した処理と同様の処理については同一の符号を付し、その説明を省略する。
【００４３】
例えば、携帯電話機１０が圏外に存在する場合や、携帯電話機１０の電源が切断されている場合、図７に示すように、交換機１１から送信されたロックＳＭＳは、携帯電話機１０で受信されることはない。ここでは、携帯電話機１０が圏外に存在しているものとする。ロケーションレジスタ１３においては、ＳＴ５にてロックＳＭＳ生成指示を交換機１１に送信した後、携帯電話機１０からの応答信号を監視しており、一定時間経過しても応答信号を受信しないと、ロックＳＭＳの再送が必要であると認識する（ＳＴ２１）。
【００４４】
このように、ロケーションレジスタ１３において、ロックＳＭＳの再送の必要性が認識されると、ロケーションレジスタ１３から情報管理サーバ１７に対してロックＳＭＳを再送する旨を示すロック応答が送信される（ＳＴ２２）。このロック応答を受信すると、情報管理サーバ１７からロケーションレジスタ１３に対して、再送する旨を示すロック応答を受信したことを示す再送結果通知応答が送信される（ＳＴ２３）。
【００４５】
再送結果通知応答を受信した場合において、ここでは、携帯電話機１０が圏内に復帰するものとする。ロケーションレジスタ１３によって携帯電話機１０が圏内に復帰したことが検出されると（ＳＴ２４）、この圏内復帰を契機としてロケーションレジスタ１３から交換機１１に対してロックＳＭＳの再送指示（以下、「ロックＳＭＳ再送指示」という）が送信される（ＳＴ２５）。ロケーションレジスタ１３からロックＳＭＳ再送指示を受信すると、ＳＴ６で生成されたロックＳＭＳが交換機１１から携帯電話機１０に対して再送される（ＳＴ２６）。
【００４６】
ここでは、ロックＳＭＳの再送が繰り返されたものの、何らかの要因により携帯電話機１０にロックＳＭＳが到達しなかったものとする。このようにロックＳＭＳの再送が繰り返されるうち、携帯電話機１０の休止又は解約等に基づいて情報管理サーバ１７からロックＳＭＳの送信不能処理信号が送信されると（ＳＴ２７）、ロケーションレジスタ１３において、その送信が不能であることが認識される（ＳＴ２８）。ロックＳＭＳの送信不能が認識されると、ロケーションレジスタ１３から情報管理サーバ１７に対して結果通知が送信される（ＳＴ２９）。ここでは、ロックＳＭＳが未送信であることが通知されることとなる。この結果通知を受信すると、情報管理サーバ１７からロケーションレジスタ１３に対して、結果通知を受信したことを示す結果通知応答が送信される（ＳＴ３０）。このようにして、携帯電話機１０に対するロック動作が繰り返される場合の処理が終了する。
【００４７】
（３）携帯電話機に対するロック動作が繰り返される前に携帯電話機の製造番号と電話番号との組合せの不一致が検出された場合
図８は、本実施の形態に係る移動通信ネットワークシステムにおいて、携帯電話機に対するロック動作が繰り返される前に携帯電話機の製造番号と電話番号との組合せの不一致が検出された場合の処理について説明するためのシーケンス図である。なお、図８において、図６及び図７に示した処理と同様の処理については同一の符号を付し、その詳細な説明を省略する。
【００４８】
ロケーションレジスタ１３においては、ロックＳＭＳを再送する際、先行する情報管理サーバ１７からのロック要求に含まれる電話番号と製造番号との組合せと、加入者ＤＢ１２に登録されている電話番号と製造番号との組合せとの一致を判定する。なお、これらの組合せの一致を判定するのは、ＳＴ１及びＳＴ２でサービス制御装置１５から情報を取得した後に、ロックＳＭＳの再送前にＳＩＭカードが挿し替えられた場合を想定したものである。
【００４９】
この場合において、図８に示すように、これらの組合せの不一致が検出された場合には（ＳＴ３１）、ロケーションレジスタ１３から情報管理サーバ１７に対して、ロック要求に含まれる電話番号と製造番号との組合せと、現在の加入者ＤＢ１２に登録されている電話番号と製造番号との組合せとが不一致である旨を示すロック応答が送信される（ＳＴ３２）。また、ロックＳＭＳの再送も停止される。このロック応答を受信すると、情報管理サーバ１７において、携帯電話機１０の電話番号と製造番号との不一致が認識され、再び、携帯電話機１０の製造番号に基づく使用者の問合せから処理が繰り返される（ＳＴ３３）。このようにして、携帯電話機１０に対するロック動作が繰り返される前に携帯電話機１０の製造番号と電話番号との不一致が検出された場合の処理が終了する。
【００５０】
（４）携帯電話機に対するロック動作が繰り返される途中で携帯電話機の製造番号と電話番号との組合せの不一致が検出された場合
図９は、本実施の形態に係る移動通信ネットワークシステムにおいて、携帯電話機に対するロック動作が繰り返される途中で携帯電話機の製造番号と電話番号との組合せの不一致が検出された場合の処理について説明するためのシーケンス図である。なお、図９において、図６及び図７に示した処理と同様の処理については同一の符号を付し、その詳細な説明を省略する。
【００５１】
ここでは、交換機１１において、ＳＴ２５で受信したロックＳＭＳ再送指示に応じてロックＳＭＳを再送する直前に、携帯電話機１０から新たな電話番号と製造番号との組合せを受信するものとする。すなわち、携帯電話機１０に対して新たなＳＩＭカードが挿し替えられた場合である。この場合、交換機１１において、先行する情報管理サーバ１７からのロック要求に含まれる電話番号と製造番号との組合せと、新たに携帯電話機１０から受信した電話番号と製造番号との組合せの不一致が検出される（ＳＴ４１）。
【００５２】
このように、ロック要求に含まれる電話番号と製造番号との組合せと、新たに携帯電話機１０から受信した電話番号と製造番号との組合せの不一致が検出された場合には、交換機１１からロケーションレジスタ１３に対して電話番号と製造番号との組合せの不一致が通知される（ＳＴ４２）。この通知を受けると、ロケーションレジスタ１３から情報管理サーバ１７に対して結果通知が送信される（ＳＴ４３）。また、ロックＳＭＳの再送も停止される。ここでは、ロケーションレジスタ１３から情報管理サーバ１７に対して、ロック要求に含まれる電話番号と製造番号との組合せと、新たに受信した電話番号と製造番号との組合せとが不一致である旨が通知されることとなる。この結果通知を受信すると、情報管理サーバ１７からロケーションレジスタ１３に対して、結果通知を受信したことを示す結果通知応答が送信される（ＳＴ４４）。その後、情報管理サーバ１７において、携帯電話機の電話番号と製造番号との不一致が認識され、再び、携帯電話機１０の製造番号に基づく使用者の問合せから処理が繰り返される（ＳＴ４５）。このようにして、携帯電話機１０に対するロック動作が繰り返される途中で携帯電話機１０の製造番号と電話番号との不一致が検出された場合の処理が終了する。
【００５３】
このように、本実施の形態に係る移動通信ネットワークシステムによれば、サービス制御装置１５において携帯電話機の端末自体に割り当てられた製造番号（端末識別番号）と、携帯電話機に現在装着されているＳＩＭカード（情報記録媒体）に割り当てられた電話番号とが対応づけて管理され、情報管理サーバ１７によってロック対象となる携帯電話機１０の製造番号に対応するＳＩＭカードの電話番号に基づいて当該携帯電話機１０への操作がロックされることから、携帯電話機１０の製造番号に基づいてロック対象となる携帯電話機１０を特定し、当該携帯電話機１０への操作をロックすることができるので、携帯電話機１０の紛失或いは盗難時において、ＳＩＭカードが挿し替えられた場合でも携帯電話機１０の第三者の不正利用を防止することが可能となる。
【００５４】
特に、本実施の形態に係る移動通信ネットワークシステムにおいては、サービス制御装置１５において、携帯電話機に対してＳＩＭカードが装着される毎（挿し替えられる毎）に当該ＳＩＭカードに割り当てられた電話番号を更新するようにしたことから、常に、携帯電話機に現在装着されているＳＩＭカードに記録された電話番号を把握することが可能となる。
【００５５】
また、本実施の形態に係る移動通信ネットワークシステムにおいては、携帯電話機への操作のロックを指示するショートメッセージ（ロックＳＭＳ）を送信することで携帯電話機への操作をロックするようにしたことから、既存のショートメッセージサービスを活用して携帯電話機への操作をロックすることが可能となる。
【００５６】
特に、本実施の形態に係る移動通信ネットワークシステムにおいては、携帯電話機への操作をロックできない場合、一定時間経過後にショートメッセージ（ロックＳＭＳ）を再送することから、先行するショートメッセージを送信した後、一定時間経過後にショートメッセージが再送されるので、例えば、ロック対象となる携帯電話機の電源が入っていない場合や、当該携帯電話機が通信圏外に存在するような場合においても、電源投入時や通信圏内への復帰時に携帯電話機への操作をロックすることが可能となる。
【００５７】
また、本実施の形態に係る移動通信ネットワークシステムにおいては、ショートメッセージを再送する際、ロック対象となる携帯電話機の製造番号に対応するＳＩＭカードの電話番号の変更を判定することから、ショートメッセージを再送するまでの間にＳＩＭカードが挿し替えられた場合に、無用なショートメッセージの送信を回避することが可能となる。
【００５８】
なお、本発明は、上記実施の形態に限定されず、本発明の効果を発揮する範囲内において種々変更して実施することが可能である。また、本発明の目的の範囲を逸脱しない限りにおいて適宜変更して実施することが可能である。
【００５９】
例えば、上記実施の形態に係る移動通信ネットワークシステムにおいては、製番管理ＤＢ１４を有するサービス制御装置１５をロケーションレジスタ１３と別の構成としてネットワーク上に配置した場合について説明しているが、上述のようなサービス制御装置１５の機能を果たすことができれば、ネットワーク上の構成についてはこれに限定されるものではなく、適宜変更が可能である。例えば、ロケーションレジスタ１３にサービス制御装置１５の機能を搭載するようにしても良い。
【００６０】
また、上記実施の形態に係る移動通信ネットワークシステムにおいては、携帯電話機の端末識別番号として、携帯電話機に製造時に割り当てられた製造番号を利用する場合について説明しているが、これに限定されるものではなく、携帯電話機の端末自体を識別することを条件として適宜変更が可能である。
【図面の簡単な説明】
【００６１】
【図１】本発明の一実施の形態に係る移動通信ネットワークシステムの構成を示す図である。
【図２】上記実施の形態に係る移動通信ネットワークシステムのサービス制御装置の構成を示す機能ブロック図である。
【図３】上記実施の形態に係る移動通信ネットワークシステムの情報管理ＤＢに記憶される情報の一例について説明するための図である。
【図４】上記実施の形態に係る移動通信ネットワークシステムの製番管理ＤＢに記憶される情報の一例について説明するための図である。
【図５】上記実施の形態に係る移動通信ネットワークシステムの加入者ＤＢに記憶される情報の一例について説明するための図である。
【図６】上記実施の形態に係る移動通信ネットワークシステムにおいて、携帯電話機に対するロック動作が正常に行われた場合の処理について説明するためのシーケンス図である。
【図７】上記実施の形態に係る移動通信ネットワークシステムにおいて、携帯電話機に対するロック動作が繰り返される場合の処理について説明するためのシーケンス図である。
【図８】上記実施の形態に係る移動通信ネットワークシステムにおいて、携帯電話機に対するロック動作が繰り返される前に携帯電話機の製造番号と電話番号との不一致が検出された場合の処理について説明するためのシーケンス図である。
【図９】上記実施の形態に係る移動通信ネットワークシステムにおいて、携帯電話機に対するロック動作が繰り返される途中で携帯電話機の製造番号と電話番号との不一致が検出された場合の処理について説明するためのシーケンス図である。
【符号の説明】
【００６２】
１０  携帯電話機（移動体端末装置）
１１  交換機
１２  加入者データベース（ＤＢ）
１３  ロケーションレジスタ
１４  製番管理データベース（ＤＢ）
１５  サービス制御装置
１６  情報管理ＤＢ
１７  情報管理サーバ
１８  移動通信網
２１  主制御部
２２  通信部
２３  データ更新部
２４  データ検索部
【図１】
2008092294.tif 000003
【図２】
2008092294.tif 000004
【図３】
2008092294.tif 000005
【図４】
2008092294.tif 000006
【図５】
2008092294.tif 000007
【図６】
2008092294.tif 000008
【図７】
2008092294.tif 000009
【図８】
2008092294.tif 000010
【図９】
2008092294.tif 000011